(57)【特許請求の範囲】
【請求項１】
軸部と風向面を有する風向部とからなる左右風向板と、前記左右風向板を支持する支持体とを備え、
前記支持体に設けた軸孔に前記左右風向板の前記軸部を挿入して支持し、前記左右風向板を前記軸部周りに回動させて風向を変更する左右風向板の支持構造を備えた空気調和機において、
前記左右風向板の前記軸部と前記風向部の間に弾性部を設け、前記軸部の先端に前記左右風向板を前記軸孔に係止する軸係止爪を形成し、
前記弾性部の先端から前記軸係止爪までの軸方向の距離をＡ、
前記支持体における前記弾性部の当接部から前記軸係止爪の当接部までの軸方向の距離をＢ、
前記弾性部の軸部側から前記軸係止爪までの軸方向の距離をＣ、とするとき、
Ｃ＞Ｂ＞Ａ
の関係を有し、
前記左右風向板にノッチ孔を有するノッチ部を備えるとともに、
前記支持体に軸方向に伸びるノッチ軸を有し、
前記ノッチ孔は複数のノッチ係止爪を備え、
前記ノッチ孔に前記ノッチ軸が挿入されるとともに前記ノッチ係止爪にノッチ軸が係止されることで前記左右風向板の回動した角度を固定してなることを特徴とする空気調和機。
【請求項２】
前記弾性部が、前記軸部に対して前記ノッチ部の反対側に設けられた前弾性部を有することを特徴とする請求項１記載の空気調和機。
【請求項３】
前記弾性部がさらに横弾性部を有し、
前記前弾性部は前記軸部の下流側に配置されるとともに、
前記横弾性部が前記風向面側に配置されていることを特徴とする請求項２記載の空気調和機。
【請求項４】
前記ノッチ軸の高さをＨとし、
Ｈ＞（Ｃ-Ｂ）
の関係を有することを特徴とする請求項１ないし３に記載の空気調和機。
【発明の詳細な説明】
【技術分野】
【０００１】
本発明は、空気調和機の風向き調整機構、特に左右風向板の固定構造に関する。
【背景技術】
【０００２】
従来から、ビルや住宅等において調和された空気を室内に送風することにより、室内の快適性を向上させる空気調和機が知られている。例えば、エアコンは、温風や冷風を吹き出し口から室内に送風することにより、室内を快適な温度に保つことができる。
【０００３】
このような空気調和機には、室内に調和された空気を送風するときの左右の風向きを調整するための左右風向板とその支持構造が設けられている（たとえば、特許文献１参照）。左右風向板は風向面を備えた風向部を有しており、風向面に吹き出し口から送風された空気が当たることで、左右の風向きを調整することが可能となっている。左右風向板及びその支持構造は、空気調和機の本体部に形成された吹出口の近傍に配置されている。左右風向板及びその支持構造は、たとえば、軸孔と、軸部を有する複数の左右風向板とから構成されたものがある。このような左右風向板及びその支持構造では、軸孔は空気調和機の本体部に形成された吹出口に設けられており、軸部は軸孔に挿入され回動可能になっている。そして、軸部には、軸孔の一部に係合する係止爪が設けられている。
【０００４】
また左右風向板は、一の左右風向板を回動させると、他の左右風向板も回動するよう、連結部材（移動部）を介して連結されている。そして、回動させた左右風向板を固定できるよう、ノッチ部（係合部）が設けられている（たとえば、特許文献２参照）。
【先行技術文献】
【特許文献】
【０００５】
【特許文献１】特開２００３−１０６６３５号公報
【特許文献２】特開２００５−８３６０３号公報
【発明の概要】
【発明が解決しようとする課題】
【０００６】
左右風向板のぐらつきを抑制するため、左右風向板の軸部と支持体の軸孔とのはめ合いをきつくすることが行われている。しかし、左右風向板の軸部と支持体の軸孔とのはめ合いをきつくすることは、軸部を軸孔に挿入する時の作業をし難くすると共に、軸部と軸孔の磨耗の増大につながり、磨耗によるぐらつきが起きて、空気調和機運転時の僅かな振動で、ビビリ音を出すようになって、使用者が不快に感じるおそれがある。
【０００７】
また、軸部と軸孔の摺動部に潤滑油を塗布して、磨耗を抑えることも考えられるが、長い間には、この潤滑油が流れ落ちてしまったり、埃が付着して潤滑性を失って固まり、左右風向板が動かなくなったりする恐れも有る。
【０００８】
よって空気調和機の左右風向板の取付けでは、空気調和機の吹出し風路を構成するケーシングなどを左右風向板の支持体とし、支持体に設けた軸孔に左右風向板の軸部を挿入し、軸部の弾性で左右風向板を支持体に立設することが行われている。
【０００９】
軸部には係止爪を有する拡開部が設けられており、左右風向板の軸部を支持体の軸孔に挿入する時、係止爪が軸孔の内面に押されて拡開部が内方に変形し、係止爪が軸孔を通り抜ける迄、軸孔の内面を案内面として挿入される。
【００１０】
係止爪が軸孔を通過すると、本来であれば、係止爪を有する拡開部の弾性で拡開部が元に戻ろうと拡がり、それにつれて、係止爪が軸孔の下面側に引っ掛かり、左右風向板が固定される。しかしこの状態では、係止爪の先端が軸孔の内面を押しながら挿入される時に生ずるダレや、往々にして、この部に設けられることの多いパーティングラインによって生ずる成形上のバリなどにより、係止爪が軸孔に引っ掛かって、拡開部の弾性で係止爪が拡がるのが妨げられる。
【００１１】
このため、左右風向板の押込み可能寸法を大きくしておいて、係止爪が係止部に達してから、尚も左右風向板を押し込むようにする。こうすると、係止爪が係止部を完全に乗り越え、拡開部の弾性で係止爪が拡がり、係止部に引っ掛かるようになる。しかし、左右風向板の押込み可能寸法を大きくしているので、左右風向板を支持体に組立てた状態では、左右風向板の係止爪と軸孔の係止部との間に、軸方向の隙間が生ずる。この隙間が、左右風向板が上下にぐらつく原因となる。
【００１２】
また、左右風向板がぐらつくため、左右に風向を偏向する時に、左右風向板が意図したところに止まらないなど、操作性も悪くなり、また、送風ファン運転時の振動でビビリ音が発生し、更にまた、この隙間を通して、空気が流通し、冷房運転時に思わぬ場所に露付が発生し、室内に滴下したり、吹出し口から飛散したりする現象も生ずる。
【００１３】
ここで、左右風向板の係止爪と軸孔の係止部との間に軸方向の隙間が生じないようにするため、左右風向板の係止爪と左右風向板の風向部との間に軸方向の弾性を有する弾性部を設けることが考えられる。こうすると、弾性部と係止爪とにより支持体を挟持することが可能となり、左右風向板が上下にぐらつかなくなる。
【００１４】
しかしながら左右風向板の係止爪と左右風向板の風向部との間に軸方向の弾性を有する弾性部を設けると、左右風向板の回転角度を固定するノッチ部（係合部）が、うまく係合しなくなるという問題が生じる。これは左右風向板が軸方向に弾性を有した状態で保持されるため、左右風向板と支持体の軸方向の位置が変わり、左右風向板側のノッチ部（係合部）と支持体側のノッチ部（係合部）が離間してしまうためである。
【００１５】
本発明が解決しようとする課題は、支持体にぐらつくことなく立設できて安定性が良い左右風向板の支持構造を備えた空気調和機において、左右風向板の回転角度を固定するノッチ部（係合部）を確実に係合させる構造とすることにある。
【課題を解決するための手段】
【００１６】
本発明が解決しようとする課題は、左右風向板の支持体に設けた軸孔に左右風向板の軸部を挿入して支持し、左右風向板を軸部周りに回動させて風向を変更する左右風向板の支持構造を備えた空気調和機において、左右風向板の軸部と風向部の間に弾性部 を設け、軸部に設けられた係止爪と弾性部で支持体を挟持するとともに、左右風向板を回動させた位置に固定するノッチ部（係合部）を、支持体に設けたノッチ軸と左右風向板に設けたノッチ孔とで構成することにより達成される。
【００１７】
また、弾性部を軸部に対してノッチ孔の反対となる側に設けている。
【００１８】
また、弾性部を左右風向板の風向面側 に設けている。
【００１９】
また、左右風向板が弾性部により軸方向に可動する距離よりも、ノッチ軸の高さを高くしている。
【発明の効果】
【００２０】
本発明によれば、左右風向板が弾性部により上下に動いても、左右風向板の回転角度を固定するノッチ部（係合部）が機能するようにできる。また、左右風向板が傾くことなく支持体に立設できる。また、左右風向板が弾性部により上下に動いても、左右風向板の回転角度を固定するノッチ部（係合部）が外れることがない。
【図面の簡単な説明】
【００２１】
【図１】空気調和機の室内機の全体構成図。
【図２】本発明による室内機の吹出口の拡大図。
【図３】本発明の左右風向板組立の説明図。
【図４】本発明の左右風向板の説明図。
【図５】本発明の左右風向板支持構造の説明図。
【図６】本発明の左右風向板支持構造の縦断面図。
【図７】本発明の左右風向板支持構造の横断面図。
【発明を実施するための形態】
【００２２】
以下、本発明を具体化した実施例について図１〜図７を用いて説明する。
【００２３】
まず、空気調和機および左右風向板の概要について図１〜図３を用いて説明する。図１は空気調和機の室内機の全体構成図である。図２は本発明による室内機の吹出口の拡大図である。図３は本発明の左右風向板組立の説明図である。
【００２４】
空気調和機は、室内機１０と図示しない室外機を図示しない接続配管でつなぎ、室内を空気調和する。
【００２５】
室内機１０は、前方に前面パネル１１が設けられ、上方に上面グリル１４が設けられる。上面グリル１４には、室内空気を吸込む吸込口が設けられ、室内機１０の下方には、調和空気を室内機１０から室内に吹出す吹出口２００が設けられる。
【００２６】
吹出口２００は、吹出口２００の両側に軸支される図示しない上下風向板の回動により、開閉自在である。また、上下風向板は、室内機１０から吹出す気流を上下に風向制御して、室内に送風する。
【００２７】
吹出口２００の側方には、空気調和機の運転状態を表示する表示部１２と、図示しないリモコンからの操作信号を受信する受信部１３が設けられている。
【００２８】
吹出口２００には、左右方向（吹出口の長手方向）に所定間隔で左右風向板３００が配設される。具体的に、左右風向板３００は、吹出口２００の下側を構成する左右風向板３００の支持体２０１としてのケーシング下面に対して軸部３２０で回動自在に軸支される。
【００２９】
室内機１０の表示部１２の奥には、図示しない電装部が設けられ、制御基板が収納される。制御基板にはマイコンが設けられており、図示しないリモコンから送られた信号を受信部１３で受信して、空気調和機の運転を制御する。また表示部１２の電光色を運転モードに合わせて変化させることで、表示部１２の表示色で運転モードを判断させることもできる。
【００３０】
室内機１０がリモコンからの運転信号を受信すると空気調和機の運転が開始され、マイコン制御によって上下風向板１１が回動し、室内機１０の吹出口を開かせる。
【００３１】
図示しない室外機も動作を開始し、室外機から送られた冷媒は、図示しない冷媒用銅パイプを通って室内機１０内に設けられた図示しない熱交換器内を循環する。同時に図示しない送風ファンも駆動され、吸込口から室内空気を吸込み、吹出口２００から吹出す。
【００３２】
吹出口２００からの吹出空気は、支持体２０１の下流側に設けられた左右風向板３００，図示しない上下風向板を通過して、風向制御されて室内に送風される。
【００３３】
左右風向板３００は風向部３１０が縦羽根になっていて、吹出口２００の位置に、この縦羽根を横一列に所定間隔で複数ならべて配置し、左右に回動させることで、風向を左右に制御している。また、図示しない上下風向板は、吹出口２００の位置に、横羽根を水平にならべ、上下に回動させることで、風向を上下に制御している。
【００３４】
これにより、吹出口２００からの吹出空気は、左右風向板３００と、図示しない上下風向板とによって風向制御されて、目的とする方向へと送風される。また、左右風向板３００は、軸部３２０によって支持体２０１に回動自在に軸支されている。上記複数の左右風向板３００は、吹出口２００の略水平方向に配設される棒状の連結棒３９０で連結されて、連結棒３９０の動作に連動して、同じ方向に向き変向する。
【実施例】
【００３５】
以下に、本発明の左右風向板の支持構造について上述した図４〜図７を用いて説明する。図４は本発明の左右風向板の説明図、図５は本発明の左右風向板支持構造の説明図、図６は本発明の左右風向板支持構造の縦断面図、図７は本発明の左右風向板支持構造の横断面図であって、（ａ）は左右風向板単体の横断面図であって、（ｂ）は左右風向板を支持体に取付けた状態での横断面図である。
【００３６】
本発明による空気調和機の左右風向板３００は、連結棒３９０に連結部３９１を介して複数取り付けられている。また、連結棒３９０に対して取り付けられた複数の左右風向板３００のうち中央側の左右風向板３００には、左右風向板３００をユーザーが左右に回動させるための把持部３１１が設けられている。把持部３１１を操作することで、連結棒３９０で連結された複数の左右風向板３００を、それぞれの軸部３２０を回転軸として同方向に回動させることができる。
【００３７】
左右風向板３００は、吹出口２００から吹出される空気を偏向させる風向部３１０と、軸孔２１０に挿入される軸部３２０と、後述するノッチ軸２２０が挿入され係合することで左右風向板３００の回動位置を固定するノッチ部３３０とからなっている。また、風向部３１０と軸部３２０の間には、後述する軸部３２０に設けられた軸係止爪３２１とで支持体２０１を挟持する弾性部３４０が設けられている。
【００３８】
空気調和機の吹出し風路を構成するケーシングの下面を左右風向板３００の支持体２０１とし、支持体２０１に設けた軸孔２１０の周囲には段差部２３０が設けられている。通常、ケーシングの下面は送風路を構成するために曲面状に構成されているが、左右風向板３００が取り付けられる個所を平面とし、左右風向板３００が軸部３２０回りに回動する際に動作むらが生じないようにしている。
【００３９】
支持体２０１に設けた軸孔２１０に左右風向板３００の軸部３２０を挿入することで左右風向板３００を立設する。左右風向板３００の軸部３２０を支持体２０１の軸孔２１０に挿入する時、軸係止爪３２１を有する拡開部３２２が軸孔２１０内面に押されて内方に変形し、軸係止爪３２１が軸孔２１０を通り抜けるまで、軸孔２１０内面を案内面として挿入される。軸係止爪３２１が軸孔２１０を通り抜けた後は拡開部３２２が広がるため、軸係止爪３２１が軸孔２１０の下面に係止される。
【００４０】
弾性部３４０は、前弾性部３４１と複数の横弾性部３４２からなり、それぞれ軸部側基部３４３から外側に向けて先端が下になるよう傾斜して設けられている。左右風向板３００が支持体２０１に取付けられた状態では、端部が段差部２３０に当接するようになっている。軸部側基部３４３よりも先に前弾性部３４１あるいは横弾性部３４２の先端が段差部２３０に当接するため、左右風向板３００は軸孔２１０に対して風向部３１０側に弾性部３４０による弾性力を受ける。
【００４１】
ここで、左右風向板３００を支持体２１０に装着する前の軸係止爪３２１と弾性部３４０の先端との軸方向の距離を寸法Ａとし、弾性部３４０と軸係止爪３２１とで挟持される段差部２３０の厚さを寸法Ｂとし、軸係止爪３２１と弾性部３４０の軸部側３４３との軸方向の距離を寸法Ｃとしている。そして、Ｂ＞Ａとすることで、左右風向板３００を弾性部３４０と軸係止爪３２１により取付軸方向の弾性力を生じさせた状態で軸孔２１０に対して取り付けることが可能となる。
【００４２】
左右風向板３００は、弾性部３４０と軸係止爪３２１により取付軸方向の弾性力を生じさせた状態で軸孔２１０に対して取り付けられているため、上下方向の隙間を生じることなく、ガタつきのない状態とすることができる。また、拡開部３２２が軸孔２１０の径方向に広がる弾性力を有していることにより、拡開部３２２に設けられた軸孔当接部３２３が軸孔２１０の内面に弾性力を生じさせた状態で取り付けられるため、左右方向のガタつきも抑えられるようになっている。
【００４３】
左右風向板３００が、支持体２０１に取付けられた状態では、ノッチ軸２２０がノッチ部３３０に設けられたノッチ孔３３１に挿入されるようになっている。ノッチ孔３３１にはノッチ係止爪３３２が複数設けられており、ノッチ係止爪３３２がノッチ軸２２０に係止することで、回動させた左右風向板３００の角度を固定できるようになっている。
【００４４】
ここで、ノッチ軸２２０の高さを寸法Ｈとしている。寸法Ｈを、前述した軸係止爪３２１と弾性部３４０の軸部側３４３との軸方向の距離である寸法Ｃと弾性部３４０と軸係止爪３２１とで挟持される段差部２３０の厚さである寸法Ｂとの差よりも大きくする。つまり、Ｈ＞（Ｃ-Ｂ）とすることで、左右風向板３００を支持体２１０に取付けた後、取付軸方向の弾性力により左右風向板３００が上下方向に動いたとしても、ノッチ軸２２０がノッチ部３３０から抜けることを防止できる。
【００４５】
このようにノッチ軸２２０がノッチ孔３３１に挿入されるようになっているため、左右風向板３００が取付軸方向の弾性力を有した状態で軸孔２１０に取り付けられていてもノッチ軸２２０とノッチ部３３０が外れることがなく、確実に左右風向板３００の角度を固定できるようになっている。
【００４６】
なお、左右風向板３００を回動させる時の操作力は弾性部３４０と軸係止爪３２１との間で生じる軸方向の弾性的な特性と、支持体２０１との間の摩擦係数で決まり、これらを適宜に選択することで、適切な操作力にすることができ、従来のように、僅かな寸法差を管理する必要が無くなり、製作工数を減らすことができる。
【００４７】
このとき、図７のように、弾性部３４０の軸部側３４３と段差部２３０が当接しないように、弾性部３４０と軸係止爪３２１とで挟持される段差部２３０の厚さＢの寸法と、軸係止爪３２１と弾性部３４０の軸部側３４３との寸法Ｃとを決めることで、上記のような左右風向板３００の固定が可能になる。
【００４８】
なお、実施例では左右風向板を空気調和機の吹出し風路を構成するケーシングの下面に固定する場合について説明しているが、吹出し風路の反対側（ケーシングの上面）に固定する場合も同様の効果を得ることができる。
【００４９】
また、前弾性部３４１を軸部３２０に対してノッチ部３３０の対面側に設けるようにした。これにより、左右風向板３００が吹出口２００の下流側に傾くことを防止できる。よって、ノッチ部３３０がノッチ軸２２０から抜けるようなことがなくなる。
【００５０】
また、横弾性部３４２を風向部３１０の風向面側に設けるようにした。これにより、左右風向板３００が軸部３２０に対して風向面側に傾くことを防止できる。よって、吹き出し空気が風向部３１０に当たることで左右風向板３００がガタつくことを防止できる。
【符号の説明】
【００５１】
１０  室内機
１１  前面パネル
１２  表示部
１３  受信部
１４  上面グリル
２００  吹出口
２１０  軸孔
２２０  ノッチ軸
２３０  段差部
３００  左右風向板
３１０  風向部
３２０  軸部
３３０  ノッチ部
３４０  弾性部
３９０  連結棒
Ａ  装着前の軸係止爪と弾性部の先端との軸方向の距離
Ｂ  弾性部と軸係止爪とで挟持される段差部の厚さ
Ｃ  軸係止爪と弾性部の軸部側との軸方向の距離
Ｈ  ノッチ軸の高さ
【図１】
0005915239.tif 000002
【図２】
0005915239.tif 000003
【図３】
0005915239.tif 000004
【図４】
0005915239.tif 000005
【図５】
0005915239.tif 000006
【図６】
0005915239.tif 000007
【図７】
0005915239.tif 000008